(57)【要約】【課題】固定部材本体と縁取り材とを別体に構成し、両者を簡単な嵌め合わせで組み立て得るように構成した壁装材貼設用の固定部材組立体を提供すること。【解決手段】長さ方向にのびる扁平な固定基部１１、固定基部から上方に向けてのび、外向きに突条部１４を備えた立ち上がり部１２とを有する固定部材本体１０と、長さ方向にのびる扁平な固定基部２１、固定基部から上方に向けてのびる立ち上がり部２２とを有する縁取り部材２０との組み合わせでなり、固定部材本体および縁取り部材は、固定基部を重ね合わせ状に連結する組立連結手段４０を備え、固定部材本体と縁取り部材とを組立連結手段を介して組み立てた際、固定部材本体における突条部と縁取り部材における立ち上がり部間に、互いに協働して壁装材の周縁端部を挟み込む挟み込み手段５０を設けてなる壁装材貼設用の固定部材組立体。【選択図】図２
2006090126.tif 000002
【特許請求の範囲】
【請求項１】
壁装材を貼設すべき壁面に対して枠状に取り付けられ、前記壁装材の周縁端部を挟み込み状に固定するように構成してなる壁装材貼設用の固定部材組立体であって、
長尺な成型型材でなり、長さ方向にのびる扁平な固定基部と、該固定基部から上方に向けてのび、外向きに突条部を備えた立ち上がり部とを有する固定部材本体と、
長尺な成型型材でなり、長さ方向にのびる扁平な固定基部と、該固定基部から上方に向けてのびる立ち上がり部とを有する縁取り部材との組み合わせでなり、
前記固定部材本体および縁取り部材は、前記扁平な固定基部を重ね合わせ状にして連結する組立連結手段を備え、前記固定部材本体と縁取り部材とを組立連結手段を介して組み立てた際、該固定部材本体における突条部と縁取り部材における立ち上がり部間に、互いに協働して前記壁装材の周縁端部を挟み込む挟み込み手段を設けたことを特徴とする壁装材貼設用の固定部材組立体。
【請求項２】
前記組立連結手段が、前記縁取り部材における扁平な固定基部上に設けた二条の係止突起を含むものからなり、前記二条の係止突起に、前記固定部材本体における扁平な固定基部の両側縁部を嵌め合わせて、前記各固定基部を重ね合わせ状に連結するものからなることを特徴とする請求項１に記載の壁装材貼設用の固定部材組立体。
【請求項３】
前記固定部材本体における突条部が、軟質樹脂でなることを特徴とする請求項１あるいは請求項２に記載の壁装材貼設用の固定部材組立体。
【請求項４】
前記固定部材本体における突条部が、前記壁装材の周縁端部を保持する保持突起を含むものからなることを特徴とする請求項１〜請求項３のいずれかに記載の壁装材貼設用の固定部材組立体。
【請求項５】
前記固定部材本体が、前記組立連結手段を介して前記縁取り部材に組み合わされた際、前記固定部材本体における立ち上がり部上縁が、前記縁取り部材における立ち上がり部上縁と同一レベルのものからなることを特徴とする請求項１〜請求項４のいずれかに記載の壁装材貼設用の固定部材組立体。
【請求項６】
前記固定部材本体が、その立ち上がり部上縁に突出部を備えたものからなり、前記突出部によって前記壁装材の外方への膨らみを規定するものからなることを特徴とする請求項１〜請求項４のいずれかに記載の壁装材貼設用の固定部材組立体。
【請求項７】
壁装材を貼設すべき壁面に対して枠状に取り付けられ、前記壁装材の周縁端部を挟み込み状に固定するように構成してなる壁装材貼設用の固定部材組立体であって、
長尺な成型型材でなり、長さ方向にのびる扁平な固定基部と、該固定基部から上方に向けてのび、外向きに突条部を備えた立ち上がり部とを有する固定部材本体と、
長尺な成型型材でなり、長さ方向にのびる折り曲げ可能な屈曲部を介して扁平な固定基部を連接してなるコーナー縁取り部材との組み合わせでなり、
前記固定部材本体とコーナー縁取り部材とは、前記扁平な固定基部を重ね合わせ状にして連結する組立連結手段を備え、前記固定部材本体を前記コーナー縁取り部材の各固定基部に前記組立連結手段を介して組み立て、前記コーナー縁取り部材を前記屈曲部で折り曲げた際、前記各固定部材本体における各突条部が協働して前記壁装材の周縁端部を挟み込む挟み込み手段を形成してなることを特徴とする壁装材貼設用の固定部材組立体。
【請求項８】
壁装材と、前記壁装材を貼設すべき下地プレートと、前記下地プレートの一方の面に枠状に取り付けられ、前記壁装材の周縁端部を挟み込み状に固定するべく固定部材本体および縁取り部材とからなる固定部材組立体と、枠状に取り付けられた固定部材組立体の枠内であって、前記壁装材と下地プレート間に充填される充填下地材とからなることを特徴とする壁装材貼設体。
【発明の詳細な説明】
【技術分野】
【０００１】
この発明は、建造物などにおける内壁に、織物などによる壁装材を貼設する際に用いられる壁装材貼設用の固定部材組立体並びにこの固定部材組立体を用いた壁装材貼設体に関するものである。
【背景技術】
【０００２】
周知のように、建造物などにおける壁面に対する内装として、織物などのシート状の壁装材を天井面、床面あるいは壁面などに貼設することが一般的に行われている。その際に、壁装材の周縁端部を把持して固定するため、当該壁装材を貼設すべき壁面に対して枠状に取り付けられ、前記壁装材の周縁端部を挟み込み状に固定するように構成した長尺の固定部材が適用されている。ところが、壁装材の周縁端部を固定部材の突条部と内壁面との間に差し込んで行われるため、内壁面を傷付けてしまうという欠点を有していた。
【０００３】
上記する欠点を解消するものとして、特許文献１に記載のような壁装材の固定部材および壁装材の貼設方法が、本発明者らによって開発され、提供されてきている。この特許文献１に記載のものは、突条部を有する固定部材本体に、屈曲部を有する縁取り材を接続部において一体化したものであり、壁装材の周縁端部を固定部材の突条部と縁取り材の屈曲部との間に挟持させることにより、壁面に傷を付けることなく壁装材を貼設することを可能にした。しかしながら、この一体構造でなる壁装材の固定部材では、
（１）複雑な形状と部分的に軟質樹脂が用いられていることから、その成型加工において難度を要し、安定した品質を維持するには手間とコストがかかる点、
（２）施工時にタッカーで当該固定部材を壁面に打ち込む場合に固定部材本体と縁取り材との間に歪が生じ、固定部材本体と縁取り材との間のクリアランスが不均一になる点などの問題があった。
【０００４】
【特許文献１】特許第３６５２６１３号公報（特許請求の範囲、図１）
【発明の開示】
【発明が解決しようとする課題】
【０００５】
そこで、この発明では、上記する従来技術の問題点を解消すべくなしたものであって、特に重要な要素は、固定部材本体と縁取り材とを別体の構成部材として準備しておき、両者を、簡単な嵌め合わせなどにより組み立てるように構成したものであり、タッカー止着時に歪が生じにくいようにした壁装材貼設用の固定部材組立体並びにこの固定部材組立体を用いてなる壁装材貼設体を提供するものである。
【課題を解決するための手段】
【０００６】
この発明は、上記する目的を達成するにあたって、請求項１に記載の発明は、
壁装材を貼設すべき壁面に対して枠状に取り付けられ、前記壁装材の周縁端部を挟み込み状に固定するように構成してなる壁装材貼設用の固定部材組立体であって、長尺な成型型材でなり、長さ方向にのびる扁平な固定基部と、該固定基部から上方に向けてのび、外向きに突条部を備えた立ち上がり部とを有する固定部材本体と、長尺な成型型材でなり、長さ方向にのびる扁平な固定基部と、該固定基部から上方に向けてのびる立ち上がり部とを有する縁取り部材との組み合わせでなり、前記固定部材本体および縁取り部材は、前記扁平な固定基部を重ね合わせ状にして連結する組立連結手段を備え、前記固定部材本体と縁取り部材とを組立連結手段を介して組み立てた際、該固定部材本体における突条部と縁取り部材における立ち上がり部間に、互いに協働して前記壁装材の周縁端部を挟み込む挟み込み手段を設けたことを特徴とする壁装材貼設用の固定部材組立体を構成するものである。
【０００７】
さらに、この発明において、請求項２に記載の発明は、請求項１に記載の壁装材貼設用の固定部材組立体であって、前記組立連結手段が、前記縁取り部材における扁平な固定基部上に設けた二条の係止突起を含むものからなり、前記二条の係止突起に、前記固定部材本体における扁平な固定基部の両側縁部を嵌め合わせて、前記各固定基部を重ね合わせ状に連結するものからなることを特徴とするものである。
【０００８】
さらに、この発明において、請求項３に記載の発明は、請求項１あるいは請求項２に記載の壁装材貼設用の固定部材組立体であって、前記固定部材本体における突条部が、軟質樹脂でなることを特徴とするものである。
【０００９】
さらにまた、この発明において、請求項４に記載の発明は、請求項１〜請求項３のいずれかに記載の壁装材貼設用の固定部材組立体であって、前記固定部材本体における突条部が、前記壁装材の周縁端部を保持する保持突起を含むものからなることを特徴とするものである。
【００１０】
さらにまた、この発明において、請求項５に記載の発明は、請求項１〜請求項４のいずれかに記載の壁装材貼設用の固定部材組立体であって、前記固定部材本体が、前記組立連結手段を介して前記縁取り部材に組み合わされた際、前記固定部材本体における立ち上がり部上縁が、前記縁取り部材における立ち上がり部上縁と同一レベルのものからなることを特徴とするものである。
【００１１】
さらにまた、この発明において、請求項６に記載の発明は、請求項１〜請求項５のいずれかに記載の壁装材貼設用の固定部材組立体であって、前記固定部材本体が、その立ち上がり部上縁に突出部を備えたものからなり、前記突出部によって前記壁装材の外方への膨らみを規定するものからなることを特徴とするものである。
【００１２】
さらにまた、この発明において、請求項７に記載の発明は、壁装材を貼設すべき壁面に対して枠状に取り付けられ、前記壁装材の周縁端部を挟み込み状に固定するように構成してなる壁装材貼設用の固定部材組立体であって、長尺な成型型材でなり、長さ方向にのびる扁平な固定基部と、該固定基部から上方に向けてのび、外向きに突条部を備えた立ち上がり部とを有する固定部材本体と、長尺な成型型材でなり、長さ方向にのびる折り曲げ可能な屈曲部を介して扁平な固定基部を連接してなるコーナー縁取り部材との組み合わせでなり、前記固定部材本体とコーナー縁取り部材とは、前記扁平な固定基部を重ね合わせ状にして連結する組立連結手段を備え、前記固定部材本体を前記コーナー縁取り部材の各固定基部に前記組立連結手段を介して組み立て、前記コーナー縁取り部材を前記屈曲部で折り曲げた際、前記各固定部材本体における各突条部が協働して前記壁装材の周縁端部を挟み込む挟み込み手段を形成してなることを特徴とする壁装材貼設用の固定部材組立体を構成するものである。
【００１３】
さらにまた、この発明において、請求項８に記載の発明は、壁装材と、前記壁装材を貼設すべき下地プレートと、前記下地プレートの一方の面に枠状に取り付けられ、前記壁装材の周縁端部を挟み込み状に固定するべく固定部材本体および縁取り部材とからなる固定部材組立体と、枠状に取り付けられた固定部材組立体の枠内であって、前記壁装材と下地プレート間に充填される充填下地材とからなることを特徴とする壁装材貼設体を構成するものである。
【発明の効果】
【００１４】
この発明になる壁装材貼設用の固定部材組立体によれば、固定部材本体と縁取り部材とを別体の構成部材として構成したことにより、それぞれについて異なるバリエーションのものを準備することができ、それぞれについて異なる素材のものを用いることができるものであり、従来の壁装材貼設用の固定部材が、その機能として、壁装材の貼設しやすさに主眼がおかれているのに対し、貼設される壁装材の膨らみ感を規定することで、豪華な外観を付与させ得る点においても極めて有効に作用するものといえる。
【００１５】
さらに、この発明になる壁装材貼設用の固定部材組立体によれば、固定部材本体における固定基部と縁取り部材における固定基部とが、組立連結手段を介して互いに密着して重なり合うので、施工時において、タッカー打ち込みによる歪を最小限に抑えることができ、壁装材を差し込む部分のクリアランス（隙間）が均一となり、仕上がりが美しくなるという作用効果を奏する。
【００１６】
さらに、この発明になる壁装材貼設用の固定部材組立体によれば、固定部材本体に設けられた突出部によって壁装材の外方への膨らみを大きくすることによって、意匠面においても、立体感に富んだ豪華な室内空間の表現が可能となるという点においても極めて有効に作用するものといえる。
【００１７】
さらにまた、この発明になる壁装材貼設用の固定部材組立体によれば、縁取り部材として、コーナー縁取りのような部位に適したコーナー縁取り部材を別途設けることによって、従来のコーナー部における固定部材本体同志のクリアランス調整という煩わしい作業を省略でき、施工効率をよくすることができるという点においても極めて有効に作用するものといえる。
【００１８】
さらにまた、この発明になる壁装材貼設用の固定部材組立体を用いてなる壁装材貼設体によれば、当該壁装材貼設体を工場サイドにおいて予め製作準備しておくことができ、当該壁装材貼設の施工時間を大幅に短縮することができるという点においても極めて有効に作用するものといえる。
【００１９】
以下、この発明になる壁装材貼設用の固定部材組立体について、図１〜図５に示す具体的な実施例に基づいて詳細に説明する。図１は、この発明になる壁装材貼設用の固定部材組立体の基本的な構成例を示すものであって、図１Ａ−１は、固定部材本体の第１の実施例を示す概略的な斜視図、図１Ａ−２は、固定部材本体の第２の実施例を示す概略的な斜視図、図１Ｂは、縁取り部材の一例を示す概略的な斜視図である。図２は、固定部材本体と縁取り部材とを組み合わせた例を示すものであって、図２Ａは、図１Ｂに示す縁取り部材に、図１Ａ−１に示す第１の実施例になる固定部材本体を組み合わせた状態を示す概略的な斜視図、図２Ｂは、図１Ｂに示す縁取り部材に、図１Ａ−２に示す第２の実施例になる固定部材本体を組み合わせた状態を示す概略的な斜視図である。
【００２０】
一方、図３は、この発明の第２の構成例を示すものであって、図３Ａは、コーナー縁取り部材の一例を示す概略的な斜視図、図３Ｂは、図３Ａに示すコーナー縁取り部材に、図１Ａ−１に示す第１の実施例になる二つの固定部材本体を組み合わせた状態を示す概略的な横断面図である。図４は、この発明になる壁装材貼設用の固定部材組立体を壁面に対して枠状に組み付けた状態を示す概略的な正面図であり、図５は、図４におけるＸ−Ｘ線に沿って矢視方向に見た一部を破断して示す拡大Ｘ−Ｘ線断面図である。図６は、この発明になる壁装材貼設用の固定部材組立体をを用いてなる壁装材貼設体の具体的な実施例を示すものであり、図６Ａは、その概略的な斜視図であり、図６Ｂは、図６ＡにおけるＹ−Ｙ線に沿って矢視方向に見た一部を破断して示す拡大Ｙ−Ｙ線断面図である。
【００２１】
まず、この発明になる壁装材貼設用の固定部材組立体ＦＡの具体的な構成態様例について、図１〜図５に基づいて詳細に説明する。この発明になる壁装材貼設用の固定部材組立体ＦＡは、壁装材４６を貼設すべき壁４４の壁面４３に対して枠状に取り付けられ、前記壁装材４６の周縁端部４６ａを挟み込み状に固定するように構成したものである。上記する図１〜図３において詳細に示す通り、この発明になる壁装材貼設用の固定部材組立体ＦＡは、基本的には、図１Ａ−１あるいは図１Ａ−２に示す固定部材本体１０と、図１−Ｂに示す縁取り部材２０とを組み合わせた第１の構成例になる組立体構造（図２各図参照）、あるいは、図１Ａ−１あるいは図１Ａ−２に示す固定部材本体１０と、図３Ａに示すコーナー縁取り部材３０とを組み合わせた第２の構成例になる組立体構造（図３Ｂ参照）を含むものからなっている。
【００２２】
前記固定部材本体１０は、長尺な成型型材でなり、長さ方向にのびる扁平な固定基部１１と、該固定基部１１の一側縁１１ａ側に沿って上方に向けてのびていて、その上端縁側の支持部１３を介して外向きに突出するように設けてある断面Ｙ字型の突条部１４と、該突条部１４の下面側に形成された断面舌状の突条からなる保持部１５とを備えた立ち上がり部１２とにより構成されている。
【００２３】
この発明において、前記固定部材本体１０は、図１Ａ−１に示す第１の実施例になる固定部材本体１０Ａと、図１Ａ−２に示す第２の実施例になる固定部材本体１０Ｂとを含むものからなっている。前記第１の実施例になる固定部材本体１０Ａは、前記支持部１３の頂面１３ａおよび突条部１４の頂面１４ａが、後述する縁取り部材２０の立ち上がり部２２の頂縁２２ａと面一に構成されていて、壁装材４６を貼設した際、図２Ａに示すように、施工厚さｔ１のフラットな壁装材貼設がなされる。
【００２４】
これに対して、前記第２の実施例になる固定部材本体１０Ｂは、前記支持部１３の頂面１３ａ上に、さらに上方に向けてのびる断面湾曲状の盛上げ部１６が設けられていて、壁装材４６を貼設した際、図２Ｂに示すように、施工厚さｔ２のより膨らみのある壁装材貼設がなされるようになっている。
【００２５】
一方、前記固定部材本体１０に対して、別途個別に準備される縁取り部材２０は、長尺な成型型材でなり、長さ方向にのびる扁平な固定基部２１と、該固定基部２１の一側縁２１ａに沿って上方に向けて曲げられた立ち上がり部２２とにより構成されている。この縁取り部材２０は、前記固定部材本体１０とともに、図５に示すように、タッカー７０により壁４４に固定される。前記縁取り部材２０における立ち上がり部２２は、壁４４における周囲の天井壁面４１、床壁面４２、窓枠、ドア枠、壁のコーナー部分などに対する「当たり」となる部分として構成されるものである。
【００２６】
この発明では、前記固定部材本体１０と縁取り部材２０とは、別部材として別個に準備されるものであり、前記固定部材本体１０と縁取り部材２０には、これらを一体的に組み立てるための組立連結手段４０が設けられている。前記組立連結手段４０は、前記固定部材本体１０における扁平な固定基部１１と、前記縁取り部材２０における扁平な固定基部２１とを互いに密着して重ね合わせ状に組立連結するためのものである。
【００２７】
この発明において、前記組立連結手段４０は、例えば、前記縁取り部材２０における扁平な固定基部２１上に設けた、互いに内に向かってガイド溝２４、２４を有する二条の係止突起２３、２３を含むものからなり、前記二条の係止突起２３、２３のガイド溝２４、２４に、前記固定部材本体１０における扁平な固定基部１１の両側縁部を長さ方向の端部側から差込状に嵌め合わせることにより、前記各固定基部を重ね合わせ状に連結することができる。
【００２８】
前記組立連結手段４０は、上記する構成のものに限定されるものではない。要するに、前記組立連結手段４０は、前記固定部材本体１０における扁平な固定基部１１と縁取り部材２０における扁平な固定基部上２１とを互いに密着させて重ね合わせ状に組立連結する構成のものであればよく、例えば、縁取り部材２０における扁平な固定基部２１の上から固定部材本体１０における扁平な固定基部をスナッピング状態で嵌め合わすように構成したものであってもよい。
【００２９】
さらに、この発明では、前記固定部材本体１０と縁取り部材２０とを組立連結手段４０を介して組み立てた際、該固定部材本体１０における突条部１４並びに保持部１５と縁取り部材２０における立ち上がり部２２間に、互いに協働して前記壁装材４６の周縁端部を挟み込む挟み込み手段５０が設けられている。
【００３０】
前記挟み込み手段５０は、専ら、前記固定部材本体１０における突条部１４並びに保持部１５の構造的並びに素材的な要素によって構成されるものである。すなわち、前記突条部１４は、前記固定部材本体１０における支持部１３の上部側面から外向きに突出するように設けられていて、その先端部分が若干下向きになるような断面Ｙ字型をなしており、さらに、その下部部位の保持部１５が斜め下向きにのびる断面舌状の突条により形成されていること、並びに、その素材が、軟質樹脂であることなどによるものであり、図２Ａ、図２Ｂ並びに図５に示すように、前記固定部材本体１０における突条部１４並びに保持部１５と、縁取り部材２０における立ち上がり部２２との間に、前記壁装材４６の周縁端部４６ａをヘラなどの工具を用いて差し込んだ際、前記壁装材４６は、当該挟み込み手段５０によって抜け止め防止状態で貼設される。
【００３１】
前記固定部材本体１０と縁取り部材２０とからなる壁装材貼設用の固定部材組立体ＦＡでは、図２Ａおよび図２Ｂに示すように、その組立状態において、固定部材本体１０における保持部１５の裏面と、縁取り部材２０の表面との間に、前記壁装材４６の周縁端部４６ａを収納するための収納空間６０を形成する。この収納空間６０は、前記固定部材本体１０における扁平な固定基部１１と支持部１３との間に段差を形成するべく立ち上がり部１２を設けることにより形成されるものである。
【００３２】
前記固定部材本体１０における支持部１３は、突条部１４を、前記縁取り部材２０の立ち上がり部２２との間で、前記壁装材４６を挟持できるように支持するものである。前記固定部材本体１０における突条部１４は、前記縁取り部材２０の立ち上がり部２２との間で、前記壁装材４６を挟持するための部材である。前記突条部１４は、壁装材４６の端部４６ａを収納空間６０内に挿入しやすくするために軟質樹脂により形成されていることが好ましい。
【００３３】
前記固定部材本体１０における保持部１５は、前記収納空間６０に収納された壁装材４６の端部４６ａを、 該収納空間６０内に保持するための部材であり、前記突条部１４と一体とされている。前記保持部１５は、壁装材４６の端部４６ａを収納空間６０内に挿入しやすくするために軟質樹脂により形成されていることが好ましい。
【００３４】
次いで、この発明になる第２の構成例について、図３Ａおよび図３Ｂに基づいて説明する。第２の構成例になる壁装材貼設用の固定部材組立体ＦＡは、図１Ａ−１に示すような固定部材本体１０Ａ、あるいは、図１Ａ−２に示すような固定部材本体１０Ｂと、図３Ａに示すようなコーナー縁取り部材３０との組み合わせによって構成されるものである。
【００３５】
この発明になる第２の構成例において、前記固定部材本体１０については、先の第１の構成例において説明した構成のものと全く同じものである。これに対して、前記コーナー縁取り部材３０は、図３Ａに示すとおり、長尺な成型型材でなるものであって、長さ方向にのびる折り曲げ可能な屈曲部３２を介して扁平な固定基部３１、３１を連接したものからなっている。前記屈曲部３２は、軟質樹脂により形成されており、図３Ｂに示すように、直角に折り曲げられるようになっている。より好ましくは、前記屈曲部３２の中央部に長さ方向に沿ってのびる切込み３５を設けたものであってもよい。
【００３６】
前記固定部材本体１０とコーナー縁取り部材３０とは、前記固定部材本体１０における扁平な固定基部１１と、前記コーナー縁取り部材３０における扁平な固定基部３１とを重ね合わせ状にして連結する組立連結手段８０を備えている。前記組立連結手段８０は、前記固定部材本体１０における扁平な固定基部１１と、前記コーナー縁取り部材３０における扁平な固定基部３１とを互いに密着して重ね合わせ状に組立連結するためのものである。
【００３７】
この発明において、前記組立連結手段８０は、例えば、前記コーナー縁取り部材３０における扁平な固定基部３１、３１上に設けた、それぞれ互いに内に向かってガイド溝３４、３４を有するそれぞれ二条の係止突起３３、３３を含むものからなり、前記各二条の係止突起３３、３３のガイド溝３４、３４に、前記固定部材本体１０における扁平な固定基部１１の両側縁部を長さ方向の端部側から差込状に嵌め合わせることにより、前記各固定基部を重ね合わせ状に連結することができるようになっている。
【００３８】
前記組立連結手段８０は、上記する構成のものに限定されるものではない。要するに、前記組立連結手段８０は、前記固定部材本体１０における扁平な固定基部１１とコーナー縁取り部材３０における扁平な固定基部上３１とを互いに密着させて重ね合わせ状に組立連結する構成のものであればよく、例えば、コーナー縁取り部材３０における扁平な固定基部３１の上から固定部材本体１０における扁平な固定基部をスナッピング状態で嵌め合わすように構成したものであってもよい。
【００３９】
さらに、この発明の第２の構成例では、前記固定部材本体１０とコーナー縁取り部材３０とを組立連結手段８０を介して組み立てた際、該固定部材本体１０における突条部１４が互いに当接し合って、それらが互いに協働して前記壁装材４６の周縁端部４６ａを挟み込む挟み込み手段９０を構成している。
【００４０】
前記挟み込み手段９０は、専ら、前記固定部材本体１０における突条部１４並びに保持部１５の構造的並びに素材的な要素によって構成されるものである。すなわち、前記突条部１４は、前記固定部材本体１０における支持部１３の上部側面から外向きに突出するように設けられていて、その先端部分が若干下向きになるような断面Ｙ字型をなしており、さらに、その下部部位の保持部１５が斜め下向きにのびる断面舌状の突条により形成されていること、ならびに、その素材が、軟質樹脂であることなどによるものである。上記構成により、図３Ｂに示すように、前記固定部材本体１０における突条部１４が互いに当接しあっていて、その間に、前記壁装材４６の周縁端部４６ａをヘラなどの工具を用いて差し込んだ際、前記壁装材４６は、当該挟み込み手段９０によって抜け止め防止状態で貼設されるものである。この発明の第２の構成例は、壁４４の壁面４３、天井壁面４１、床壁面４２などの相互間に生じるコーナー部分に適用すると有効である。
【００４１】
この発明において、前記固定部材本体１０および縁取り部材２０並びにコーナー縁取り部材３０の素材について説明する。前記固定部材本体１０、縁取り部材２０並びにコーナー縁取り部材３０は、特に限定されるものではないが、好ましい材料としては、ＡＢＳ樹脂、ポリスチレンなどのスチレン樹脂、低密度ポリエチレン、高密度ポリエチレン、ポリプロピレンなどのオレフィン系樹脂、ポリ塩化ビニル、 ポリカーボネート、ポリエステルなどの熱可塑性高分子材料などが好適に用いられる。
【００４２】
これに対して、前記固定部材本体１０における突条部１４および保持部１５並びに前記コーナー縁取り部材３０における屈曲部３２を形成する軟質樹脂の材料としては、例えば、熱可塑性エラストマー、合成ゴム、天然ゴムなどの高分子材料が挙げられる。ここで、前記熱可塑性エラストマーとは、常温でゴム弾性を示すが、高温では可塑化され、成型可能となる高分子材料であり、このような熱可塑性エラストマーとしては、例えば、ポリスチレン系熱可塑性エラストマー（ＳＤＣ）、ポリオレフィン系熱可塑性エラストマー（ＴＰＯ）、ポリ塩化ビニル系熱可塑性エラストマー（ＴＰＶＣ）、ポリウレタン系熱可塑性エラストマー（ＴＰＵ）、ポリエステル系熱可塑性エラストマー（ＴＰＥＥ）、ポリアミド系熱可塑性エラストマー（ＴＰＥＡ）、１，２−ポリブタジエン系熱可塑性エラストマー（ＴＰＶＢ）、トランスポリイソプレン系熱可塑性エラストマー（ＴＰＩ）、フッ素ゴム系熱可塑性エラストマー（Ｔ−ＣＭ）、動的架橋系熱可塑性エラストマー（ＤＶＴＰ）などが挙げられる。
【００４３】
次に、壁４４の壁面４３に対して当該壁装材貼設用の固定部材組立体ＦＡを用いて壁装材４６を貼設する手順について説明する。
【００４４】
先ず、この発明では、それぞれ個別に準備される固定部材本体１０と縁取り部材２０とを、図２に示すように組み立てて、壁装材貼設用の固定部材組立体ＦＡとして準備し、当該壁装材貼設用の固定部材組立体ＦＡを所定の長さ寸法に切断した後、図４および図５に示すように、縁取り部材２０における立ち上がり部２２が外向きになるように、かつ、天井壁面４１および床壁面４２に当接するように枠状に組み付けて、当該壁装材貼設用の固定部材組立体ＦＡをタッカー７０で壁４４に固定する。
【００４５】
図５に示すように、枠状に取り付けられた固定部材組立体ＦＡの枠内側に、クッション性のある充填下地材４５を組み付けて、タッカー７０により当該充填下地材４５を部分的に壁４４に固定し、次いで、この充填下地材４５を覆うように壁装材４６を被せ、壁装材４６の周縁端部４６ａを固定部材本体１０における突条部１４並びに保持部１５と、縁取り部材２０における立ち上がり部２２との間に、ヘラなどの工具を用いて差し込み、これらの間で挟持、固定して、壁装材４６を貼設する。
【００４６】
この発明において使用される充填下地材４５としては、厚手の繊維ウェブ、不織布、発泡シートなどであればいずれのものも使用することができるが、クッション性、防音性を考慮すると、厚手の繊維ウェブが好適なものである。
【００４７】
この発明において使用される壁装材４６としては、織物、編物、不織布、合成紙、人工皮革、合成皮革、天然皮革、プラスチックフィルムなどの可撓性の面状資材であればいずれのものも使用することができるが、装飾性、他の内装材との調和などを考慮すれば織物が好適なものである。特に、ポリエステル繊維からなる織物であれば、染色性、寸法安定性、 耐久性などの面で好適である。
【００４８】
さらに、ニードルパンチなどで壁装材４６の裏面にパイル層を積層一体化したものを使用すれば、充填下地材４５は、別途必要でなくなる。
【００４９】
この発明では、当該壁装材貼設用の固定部材組立体ＦＡを用いて、図６各図に示すような壁装材貼設体ＷＰを、工場サイドにおいて予め製作準備しておくことができ、この壁装材貼設体ＷＰを施工現場に持ち込んで壁面生地に取り付けて壁装材貼設面を形成することができる。この壁装材貼設体ＷＰは、図６各図に示すように、壁装材４６と、前記壁装材４６を貼設すべき下地プレート９５と、前記下地プレート９５の一方の面９５ａに枠状に取り付けられ、前記壁装材４６の周縁端部４６ａを挟み込み状に固定するための固定部材本体１０および縁取り部材２０とからなる固定部材組立体ＦＡと、枠状に取り付けられた固定部材組立体ＦＡの枠内であって、前記壁装材４６と下地プレート９５間に充填される充填下地材４５とからなっている。
【図面の簡単な説明】
【００５０】
【図１】図１は、この発明になる壁装材貼設用の固定部材組立体の基本的な構成例を示すものであって、図１Ａ−１は、固定部材本体の第１の実施例を示す概略的な斜視図、図１Ａ−２は、固定部材本体の第２の実施例を示す概略的な斜視図、図１Ｂは、縁取り部材の一例を示す概略的な斜視図である。
【図２】図２は、固定部材本体と縁取り部材とを組み合わせた例を示すものであって、図２Ａは、図１Ｂに示す縁取り部材に、図１Ａ−１に示す第１の実施例になる固定部材本体を組み合わせた状態を示す概略的な斜視図、図２Ｂは、図１Ｂに示す縁取り部材に、図１Ａ−２に示す第２の実施例になる固定部材本体を組み合わせた状態を示す概略的な斜視図である。
【図３】図３は、この発明の第２の構成例を示すものであって、図３Ａは、コーナー縁取り部材の一例を示す概略的な斜視図、図３Ｂは、図３Ａに示すコーナー縁取り部材に、図１Ａ−１に示す第１の実施例になる二つの固定部材本体を組み合わせた状態を示す概略的な横断面図である。
【図４】図４は、この発明になる壁装材貼設用の固定部材組立体を壁面に対して枠状に組み付けた状態を示す概略的な正面図である。
【図５】図５は、図４におけるＸ−Ｘ線に沿って矢視方向に見た一部を破断して示す拡大Ｘ−Ｘ線断面図である。
【図６】図６は、この発明になる壁装材貼設用の固定部材組立体をを用いてなる壁装材貼設体の具体的な実施例を示すものであり、図６Ａは、その概略的な斜視図であり、図６Ｂは、図６ＡにおけるＹ−Ｙ線に沿って矢視方向に見た一部を破断して示す拡大Ｙ−Ｙ線断面図である。
【符号の説明】
【００５１】
ＦＡ  壁装材貼設用の固定部材組立体
１０  固定部材本体
１０Ａ  第１の実施例になる固定部材本体
１０Ｂ  第２の実施例になる固定部材本体
１１  固定部材本体の固定基部
１１ａ  固定基部の一側縁
１２  固定基部の立ち上がり部
１３  固定基部の支持部
１４  断面Ｙ字型の突条部
１５  保持部
１６  断面湾曲状の盛上げ部
２０  縁取り部材
２１  縁取り部材の固定基部
２２  縁取り部材の立ち上がり部
２３、２３  二条の係止突起
２４、２４  ガイド溝
３０  コーナー縁取り部材
３１  コーナー縁取り部材の固定基部
３２  屈曲部
３３  係止突起
３４  ガイド溝
３５  切込み
４０  組立連結手段
４１  天井壁面
４２  床壁面
４３  壁面
４４  貼設すべき壁
４６  壁装材
４６ａ  壁装材の周縁端部
５０  挟み込み手段
６０  収納空間
７０  タッカー
８０  組立連結手段
９０  挟み込み手段
ＷＰ  壁装材貼設体
９５  下地プレート
【図１】
2006090126.tif 000003
【図２】
2006090126.tif 000004
【図３】
2006090126.tif 000005
【図４】
2006090126.tif 000006
【図５】
2006090126.tif 000007
【図６】
2006090126.tif 000008